(57)【特許請求の範囲】
【請求項１】
背面に設けた吸盤により壁面等の取付面に固着される歯ブラシ差しにおいて、歯ブラシを差し込むための上方開口を有し、差し込まれた歯ブラシを保持する有底形状の本体と、この本体の背面側に前記本体と一体に形成された吸盤を有し、さらに、前記本体は、前記吸盤により前記本体が壁面等の取付面に保持された状態で、ねじれが生じたときに壁面等の取付面に直接あるいは間接的に当接することによって、吸盤内に空気が流入するのを防止するため壁面等の取付面から外向きに働く力を発生させうる突起を背面側に有してなることを特徴とする歯ブラシ差し。
【請求項２】
背面に設けた吸盤により壁面等の取付面に固着される歯ブラシ差しにおいて、上方開口を有し、差し込まれた歯ブラシを保持する有底形状の本体と、この本体の背面側に前記本体と一体に形成された吸盤と、歯ブラシを差し込むためのＹ字状の口を有し、前記上方開口を覆うよう着脱自在に設けられる蓋を備え、さらに、前記本体は、前記吸盤により前記本体が壁面等の取付面に保持された状態で、ねじれが生じたときに壁面等の取付面に直接あるいは間接的に当接することによって、吸盤内に空気が流入するのを防止するため壁面等の取付面から外向きに働く力を発生させうる突起を背面側に有してなり、前記Ｙ字状の口に歯ブラシを差し込んで保持させるように構成したことを特徴とする歯ブラシ差し。
【発明の詳細な説明】
【技術分野】
【０００１】
この発明は、背面に設けた吸盤により壁面等の取付面に固着される歯ブラシ差しに関するものである。
【背景技術】
【０００２】
背面に設けた吸盤により例えば壁面に固着された状態で使用される歯ブラシ差しとして、歯ブラシ立てであるスタンド（本体）の上面に設けた口に歯ブラシを差し込んで保持させるものがある。
【発明の開示】
【発明が解決しようとする課題】
【０００３】
しかし、スタンドと吸盤を別体にして両者を凹凸構造等の機械的な着脱手段で着脱自在に強固に取り付けるといったものでは使用による着脱部の磨耗により着脱できなくなるおそれがある。
【０００４】
また、スタンドは、壁面との間に隙間を有する状態で、吸盤により壁面に保持されているだけであるので、歯ブラシをスタンドから引き出したり、スタンド内に差し込むことによる使用状態において、ねじれが生じたときに、吸盤内に空気が流入して吸盤およびスタンドが壁面から離脱して落下するというおそれがある。
【０００５】
この発明は、上述の事柄に留意してなされたもので、その目的は、使用状態において、ねじれが生じたときに、壁面等の取付面から離れ落ちるのを防止できる歯ブラシ差しを提供することである。
【課題を解決するための手段】
【０００６】
上記目的を達成するために、この発明の歯ブラシ差しは、背面に設けた吸盤により壁面等の取付面に固着される歯ブラシ差しにおいて、歯ブラシを差し込むための上方開口を有し、差し込まれた歯ブラシを保持する有底形状の本体と、この本体の背面側に前記本体と一体に形成された吸盤を有し、さらに、前記本体は、前記吸盤により前記本体が壁面等の取付面に保持された状態で、ねじれが生じたときに壁面等の取付面に直接あるいは間接的に当接することによって、吸盤内に空気が流入するのを防止するため壁面等の取付面から外向きに働く力を発生させうる突起を背面側に有してなるものである（請求項１）。
【０００７】
また、この発明は、別の観点から、背面に設けた吸盤により壁面等の取付面に固着される歯ブラシ差しにおいて、上方開口を有し、差し込まれた歯ブラシを保持する有底形状の本体と、この本体の背面側に前記本体と一体に形成された吸盤と、歯ブラシを差し込むためのＹ字状の口を有し、前記上方開口を覆うよう着脱自在に設けられる蓋を備え、さらに、前記本体は、前記吸盤により前記本体が壁面等の取付面に保持された状態で、ねじれが生じたときに壁面等の取付面に直接あるいは間接的に当接することによって、吸盤内に空気が流入するのを防止するため壁面等の取付面から外向きに働く力を発生させうる突起を背面側に有してなり、前記Ｙ字状の口に歯ブラシを差し込んで保持させるように構成したものである（請求項２）。
【０００８】
この発明において、壁面から外向きに働く力とは、吸盤を壁面等の取付面とは直角な外向き方向に引き上げる力のことで、この力は壁面等の取付面に当接した突起を支点として発生する力である。これにより、吸盤の中央部に吸着力を発生させることができ、ねじれが生じても歯ブラシ差しが壁面等の取付面から離れ落ち難くできる。
【０００９】
この発明における壁面等の取付面とは、壁面以外に、例えばステンレス製で、直方体形状のキャビネットの側面である縦面（垂直面）のように、各種の物品の、吸盤が吸着しうる材料よりなる縦面（垂直面）を含んでいる。
【発明の効果】
【００１０】
この発明では、吸盤によって本体が壁面等の取付面に保持された状態で歯ブラシを本体から出し入れできる。
【００１１】
この発明では、歯ブラシを保持する有底形状の本体に吸盤を一体に設けることにより、例えば本体と吸盤を別体にして両者を凹凸構造等の機械的な着脱手段で着脱自在に強固に取り付けるといったものでは使用による着脱部の磨耗により着脱できなくなるおそれがあるという事態を回避でき、長期にわたって使用できるとともに、強度的に強く形成できる。そして、この発明では、本体に吸盤を一体に設けることにより製造上のコストダウンを実現できる。
【００１２】
さらに、この発明の歯ブラシ差しは、吸盤に発生する吸着力により壁面等の取付面に取り付けられるものであるが、歯ブラシを保持する有底形状の本体がその背面側に突起を有していることにより、歯ブラシを前記本体から出し入れすることによる使用状態において発生するねじれに対して吸盤が容易に壁面等の取付面から外れ難くできる。これは、ねじれ発生と同時に突起が壁面等の取付面に直接あるいは間接的に当接することで吸盤の中央部に吸着力を発生させるための、壁面等の取付面から外向きに働く力を生じるからである。
【発明を実施するための最良の形態】
【００１３】
以下、この発明の実施の形態を、図を参照しながら説明する。なお、それによってこの発明は限定されるものではない。
【００１４】
図１〜図８は、この発明の一つの実施の形態を示し、図１〜図６は、歯ブラシ差しを示し、図７は、吸盤付の本体と蓋を示し、図８は、水抜き用の栓を示す。
【００１５】
図１〜図８において、歯ブラシ差し１は、背面２に設けた吸盤３により例えば洗面室４の壁面５に固着されて使用されるものである。
歯ブラシ差し１は、平面視円形の上方開口６を有し、有底形状で差し込まれた歯ブラシ（図示せず）を保持する縦長のコップ状の本体（スタンド）７と、この本体７の背面側に前記本体７と同一素材で一体成形された吸盤８と、歯ブラシを差し込むためのＹ字状の口９を有し、前記上方開口６を覆うよう着脱自在に設けられる蓋１０とを主として備えている。そして、前記本体７は、前記吸盤８により前記本体７が壁面５に保持された状態で、ねじれが生じたときに壁面５に直接に当接することによって、吸盤８内に空気ｉが流入するのを防止するため壁面５から外向きに働く力Ｆ（図２に仮想線で示す）を発生させうる突起１１を背面側に有してなり、前記Ｙ字状の口９に歯ブラシを差し込んで保持させるように構成してある。
【００１６】
前記吸盤８および本体７は、柔軟性を持たせるため、シリコン系のゴム材や軟質塩化ビニール等の合成樹脂よりなる半硬質部材で一体成形により構成されている。吸盤８は、中央部８ａが周縁部分８ｂよりも若干厚く構成して厚みに変化をつけることにより、吸盤８よりも大きな肉厚を有する本体７に比して、より柔軟性を持たせている。また、蓋１０は、硬質の硬質部材で構成されており、例えばポリプロピレンのような素材を用いている。  また、本体７と蓋１０を着色材を用いて着色し、両者にコントラストを生み出すよう構成してもよい。本体７を例えば着色材を用いて白色にし、蓋１０を赤色にすれば、赤色の蓋１０が浮き立ち鮮明になり、蓋１０の位置が分かりやすくできる機能的な効果以外に意匠的効果も生み出す。  
そして、前記本体７には、底部７ｃの適宜の位置に、本体７内に水を溜めないように水抜き用の孔１２が設けられている。この実施の形態では底部７ｃの最下位置Ｄに水抜き用の円形孔１２が設けられており、通常は、フランジ１３付の水抜き栓１４により水抜き用の円形孔１２は閉塞されている。前記円形孔１２は、上部小径部分１２ａと下部大径部分１２ｂよりなる。一方、水抜き栓１４は、円形孔１２の上部小径部分１２ａに嵌込まれる円柱状の栓本体１５を上部に有し、栓本体１５と一体に形成され、円形孔１２の下部大径部分１２ｂに係合する、栓本体１５よりも大径の前記フランジ１３を下部に有する。さらに、栓本体１５を円形孔１２へ嵌込み易くするために、栓本体１５は、その上面ｅの周囲の環状の周縁部分ｆが上方にいくにつれ先細りになるようなテーパ状湾曲面に形成されている。
【００１７】
前記吸盤８は、自然状態では、その中央部が盛り上がるように（いわゆるコンタクトレンズの形状に近い形状となるように）構成されており、かつ、中央部８ａが周縁部８ｂよりも若干厚くなっている。吸盤８は、自然状態では、例えば図２に示すように、本体７の上面７ａよりも前記吸盤８の上部周縁部８ｂ’’が若干上方に突出した状態で、例えば図１に示すように、本体７の正面視矩形の背面Ｒの横の長さＡと略同じ長さを直径とする正面視円形形状を有する。また、例えば図１に示すように、吸盤８は、その周縁部８ｂに連設された略舌状の引っ張り片８ｃを有する。この引っ張り片８ｃは、壁面５に装着した前記歯ブラシ差し１を壁面５から取り外すために引っ張られるもので、その引っ張りを容易に行える形状になっている。この引っ張り片８ｃの位置は、例えば図１において、吸盤８の上部、左部、右部の何れかに設けるのが好ましい。これは、図１において、仮想線で示すように、吸盤８の下部に引っ張り片８ｃを設けた場合は、本体７の背面Ｒと壁面５との間に発生する隙間１６の間隔Ｓが指を挿入するにはあまりにも小さすぎるので、仮に吸盤８の下部に引っ張り片８ｃを設けると、引っ張り片８ｃが引っ張り難く、引っ張り作業が煩わしくなるからである。
【００１８】
さらに、前記突起１１は、この実施形態では点状の小突起で構成されており、本体７の背面Ｒの中央部７ｂで、吸盤８よりも下方の位置に一個だけ設けられている。すなわち、突起１１は、吸盤８と本体７の連設部分Ｂの位置よりも下方で、かつ、吸盤８の下部周縁部８ｂ’のさらに下方の位置に設けられている。そのため、この実施の形態では、突起１１は、ねじれが発生すると、図２に仮想線で示すように壁面５に直接に当接する。しかし、この発明は突起１１の設置位置、形状、大きさ、個数を限定されるものではなく、例えば本体７の背面Ｒに設ける突起の高さ位置はこの実施の形態と同じで、形状をこの実施の形態のように点状の突起１１ではなく、横長の線状形状に形成してもよい。また、突起１１を、本体７の背面Ｒにおける、吸盤８の下部周縁部８ｂ’と前記連設部分Ｂ間の位置に設けてもよい。この場合は、突起は、ねじれが発生すると、吸盤８の下部周縁部８ｂ’に当たり、この吸盤８を介して突起は壁面５に間接的に当接する。要は、ねじれが生じたときに壁面５に直接、あるいは間接的に当接することによって、吸盤８内に空気が流入するのを防止するため壁面５から外向きに働く力Ｆを発生させるように突起１１を設ければよい。
【００１９】
而して、吸盤８によって本体７が壁面５に保持された状態で歯ブラシを本体７から出し入れできる。
【００２０】
そして、歯ブラシを保持する有底形状の本体７と吸盤８とは同一素材で一体成形されているので、例えば本体７と吸盤８を別体にして両者を凹凸構造等の機械的な着脱手段で着脱自在に強固に取り付けるといったものでは使用による着脱部の磨耗により着脱できなくなるおそれがあるという事態を回避でき、長期にわたって使用できるとともに、強度的に強く形成できる。そして、この発明では、本体７に吸盤８を同一素材で一体成形することにより製造上のコストダウンを実現できる。
【００２１】
さらに、歯ブラシ差し１は、吸盤８に発生する吸着力により壁面５に取り付けられるものであるが、歯ブラシを保持する有底形状の本体７がその背面Ｒに突起１１を有していることにより、歯ブラシを前記本体７から出し入れすることによる使用状態において発生するねじれに対して吸盤８が容易に壁面５から外れ難くできる。
【００２２】
なお、水抜き栓１４のフランジ１３に略舌状の引っ張り片を連設形成することにより、水抜き用の孔１２に嵌込まれた水抜き栓１４を水抜き用の孔１２から容易に取り外すように構成してもよい。
【００２３】
なお、上記実施の形態では、本体７に蓋１０を設けてなる構成のものを示したが、この発明はその構成に限定されるものではなく、例えば蓋１０を備えていない吸盤付きの歯ブラシ差しにも適用できる。この場合は、歯ブラシは、例えば本体７の上方開口６から直接出し入れできる。
【図面の簡単な説明】
【００２４】
【図１】この発明の一実施の形態における歯ブラシ差しの背面図である。
【図２】上記実施の形態における歯ブラシ差しの縦断面図である。
【図３】上記実施の形態における歯ブラシ差しの底面図である。
【図４】上記実施の形態における歯ブラシ差しの側面図である。
【図５】上記実施の形態における歯ブラシ差しの平面図である。
【図６】上記実施の形態における歯ブラシ差しの正面図である。
【図７】上記実施の形態における歯ブラシ差しの分解斜視図である。
【図８】（Ａ）は、上記実施の形態における水抜き栓を示す斜視図である。              （Ｂ）は、上記実施の形態における水抜き栓を示す側面図である。
【符号の説明】
【００２５】
１          歯ブラシ差し
５          壁面
６          上方開口
７          有底形状の本体
８          吸盤
９          Ｙ字状の口
１０        蓋
１１        突起
Ｒ          背面
Ｆ          壁面から外向きに働く力
【図１】
0004764252.tif 000002
【図２】
0004764252.tif 000003
【図３】
0004764252.tif 000004
【図４】
0004764252.tif 000005
【図５】
0004764252.tif 000006
【図６】
0004764252.tif 000007
【図７】
0004764252.tif 000008
【図８】
0004764252.tif 000009